(57)【要約】【課題】省スペースでねじ部材の緩みを防止できる携帯端末を提供する。【解決手段】携帯端末１０は、筐体１１と、筐体１１に取り付けられるねじ部材１５と、ねじ部材１５の頭部１７を覆うねじキャップ２１とを備えている。ねじ部材１５は、筐体１１に軸部１６が挿通され、かつ、頭部１７が筐体１１の凹部３２に収容されている。ねじキャップ２１は、平面円弧部３４と、円弧部３４に隣り合う角部３５とを有する。さらに、凹部３２の平面形状がねじキャップ２１の平面形状に相似している。【選択図】図４
2013105782.tif 000002
【特許請求の範囲】
【請求項１】
筐体と、
前記筐体に軸部が挿通され、かつ、頭部が筐体の凹部に収容されるねじ部材と、
前記頭部の表面を覆うねじキャップと、を備え、
前記ねじキャップは、平面円弧部と、前記円弧部に隣り合う角部とを有し、
前記凹部の平面形状が前記ねじキャップの平面形状に相似している携帯端末。
【請求項２】
請求項１に記載した携帯端末において、
前記角部は、前記円弧部に対して接線接続される一対の直線部の交差部である携帯端末。
【請求項３】
請求項２に記載した携帯端末において、
前記各直線部のうちの少なくとも一方が前記筐体の平面形状の直線部に対して平行である携帯端末。
【請求項４】
請求項１ないし請求項３のうちのいずれか１項に記載した携帯端末において、
前記筐体はスライドレールを介して他の筐体に連結され、
前記ねじ部材は前記スライドレールのレールおよびスライダのうちの一方を共締めする携帯端末。
【発明の詳細な説明】
【技術分野】
【０００１】
本発明は、筐体に凹部を備え、この凹部にねじ部材の頭部が収容され、この頭部の表面がねじキャップで覆われた携帯端末に関する。
【背景技術】
【０００２】
従来より一般的な携帯端末は、ケースおよびカバーがねじ部材により相互に固定されて筐体が形成されている。そして、ケースおよびカバーをねじ部材で固定した状態において、ねじ部材の頭部（円形）を円形のねじキャップが覆うように構成されている（例えば、特許文献１）。また、同様に、四角形のねじキャップも一般的に利用されている。
【先行技術文献】
【特許文献】
【０００３】
【特許文献１】特開２００３−１５８５６３号公報
【発明の概要】
【発明が解決しようとする課題】
【０００４】
しかし、特許文献１の円形のねじキャップは、円形に形成されているため、ねじキャップが廻ることが考えられる。ねじキャップが廻ると、ねじキャップと共にねじ部材も廻ってしまい、ねじ部材に緩みが発生することが考えられる。
また、四角形のねじキャップを採用した場合には、緩みの課題については解決できるものの、多くのスペースが必要となってしまう。
【０００５】
本発明は、前述した課題を解決するためになされたものであり、その目的は、省スペースでねじ部材の緩みを防止できる携帯端末を提供することにある。
【課題を解決するための手段】
【０００６】
本発明の携帯端末は、筐体と、前記筐体に軸部が挿通され、かつ、頭部が筐体の凹部に収容されるねじ部材と、前記頭部の表面を覆うねじキャップと、を備え、前記ねじキャップは、平面円弧部と、前記円弧部に隣り合う角部とを有し、前記凹部の平面形状が前記ねじキャップの平面形状に相似している。
【０００７】
ねじキャップに円弧部に隣り合う角部を備え、ねじキャップの平面形状に凹部の平面形状を相似させた。よって、ねじキャップの角部を凹部で保持できるので、凹部でねじキャップが廻ることを阻止できる。
このように、ねじキャップが廻ることを凹部で阻止することで、省スペースでありながら、ねじキャップが廻ってねじ部材が緩むことを防止できる。
【０００８】
また、本発明の携帯端末は、前記角部は、前記円弧部に対して接線接続される一対の直線部の交差部である。
【０００９】
ねじキャップの角部を、円弧部に対して接線接続される一対の直線部の交差部とした。
これにより、ねじキャップに比較的大きな角部を形成できるので、ねじキャップが廻ることを凹部で確実に阻止できる。
【００１０】
さらに、本発明の携帯端末は、前記各直線部のうちの少なくとも一方が前記筐体の平面形状の直線部に対して平行である。
【００１１】
ここで、ねじキャップの直線部は外側に突出した部位であり、直線部を筐体の内側に突出させた場合、筐体の内側に直線部が比較的大きく張り出される。
このため、筐体の内側の空間を有効に活用し難くなる。
【００１２】
そこで、ねじキャップの一方の直線部を筐体の平面形状の直線部に対して平行に形成するようにした。
これにより、凹部の直線部を、筐体の平面形状の直線部に対して平行に形成することにより、筐体の内側への影響を少なくできるので筐体の内側の空間を有効に活用できる。
【００１３】
また、本発明の携帯端末は、前記筐体はスライドレールを介して他の筐体に連結され、前記ねじ部材は前記スライドレールのレールおよびスライダのうちの一方を共締めする。
【００１４】
ねじ部材でスライドレールのレールおよびスライダのうちの一方を共締めするようにした。
これにより、スライドレールのレールやスライダを共締めするねじ部材の緩みをねじキャップで防止できるので、筐体および他の筐体を円滑に繰り返し伸長でき、携帯端末の使い勝手を高めることができる。
【発明の効果】
【００１５】
本発明の携帯端末によれば、ねじキャップに角部を備え、ねじキャップの平面形状に凹部の平面形状を相似させてねじキャップの角部を凹部で保持することにより、ねじキャップが廻ることを凹部で阻止することで、省スペースでありながら、ねじキャップと共にねじ部材が緩むことを防止できる。
【図面の簡単な説明】
【００１６】
【図１】本発明に係る第１実施形態の携帯端末を示す平面図
【図２】図１のＩ−Ｉ線断面図
【図３】図２のＩＩ部拡大図
【図４】図１の携帯端末からねじキャップを外した状態を示す平面図
【図５】第１実施形態の凹部、ねじ部材およびねじキャップを示す分解斜視図
【図６】本発明に係る第２実施形態の携帯端末を伸長した状態を示す平面図
【図７】図６のＩＩＩ部拡大図
【図８】図７の携帯端末からねじキャップを外した状態を示す平面図
【発明を実施するための形態】
【００１７】
以下、本発明の実施形態に係る携帯端末について図面を参照して説明する。
【００１８】
（第１実施形態）
図１、図２に示すように、第１実施形態の携帯端末１０は、筐体１１と、筐体１１に取り付けられるねじ部材１５と、ねじ部材１５の頭部１７を覆うねじキャップ２１とを備えている。
【００１９】
筐体１１は、ケース１２と、ケース１２を覆うカバー１３とを備えている。
図３に示すように、ケース１２は、内部２３に雌ねじ部２５がインサート成形され、ケース１２の表面１２Ａに開口１４（図２参照）が形成されている。
雌ねじ部２５は、ねじ部材１５の軸部１６がねじ結合可能に形成されている。
ケース１２の開口１４に表示パネル２７が設けられている。
【００２０】
カバー１３は、雌ねじ部２５に対して同軸上に貫通孔３１が形成され、貫通孔３１に対して同軸上に凹部３２が形成されている。
貫通孔３１は、ねじ部材１５の軸部１６が挿通可能に形成されている。
凹部３２は、ねじ部材１５の頭部１７を収容可能に形成され、底部３２Ａに頭部１７の底面１７Ａが当接するように形成されている。
【００２１】
ねじ部材１５は、雄ねじが形成された軸部１６と、軸部１６の上端１６Ａに設けられた頭部１７とを有する。
頭部１７は、一例として、平面視円形に形成されている。
ねじ部材１５の軸部１６を凹部３２および貫通孔３１に挿通させて雌ねじ部２５にねじ結合することにより、頭部１７の底面１７Ａが凹部３２の底部３２Ａを押圧する。
これにより、ねじ部材１５でケース１２にカバー１３が取り付けられる。
【００２２】
また、凹部３２は、図４、図５に示すように、ねじキャップ２１を収容可能に、平面形状がねじキャップ２１の平面形状に相似している。
具体的には、凹部３２の周壁は、円弧周壁部３２Ｂと、円弧周壁部３２Ｂに隣り合う一対の角周壁部３２Ｃとを有する。
【００２３】
一対の角周壁部３２Ｃは、先端３２Ｄの交差部が９０度になるように円弧周壁部３２Ｂから外方に突出されている。
すなわち、凹部３２は、円弧周壁部３２Ｂおよび一対の角周壁部３２Ｃで涙滴形状に形成されている。
【００２４】
この凹部３２にねじ部材１５の頭部１７が収容され、かつ、ねじキャップ２１が収容される。
ねじキャップ２１は、凹部３２に収容され、例えば頭部１７の表面１７Ｂに両面テープで貼り付けられることにより頭部１７の表面１７Ｂを覆う部材である。
このねじキャップ２１は、凹部３２に収納可能に、平面形状が凹部３２の平面形状に相似している。
【００２５】
すなわち、ねじキャップ２１は、平面視で円弧状に形成された円弧部３４と、円弧部３４に隣り合う角部３５とを有する。
角部３５は、円弧部３４の外周３４Ａに対して接線接続される一対の直線部３５Ａが交差する部位（交差部）であり、先端３５Ｂが９０度になるように円弧部３４から外方に突出されることにより涙滴形状に形成されている。
また、円弧部３４の外周３４Ａは、３６０度の円弧のうち３／４の部位で形成されている。
【００２６】
ここで、図１に示すカバー１３は、周縁１３Ａの近傍部位１３Ｂが凹部３２から周縁１３Ａに向けて比較的大きな湾曲状で下り勾配に形成されている。
このため、ねじキャップ２１の角部３５を周縁１３Ａ側に向けて設けた場合、角部３５がカバー１３から上方に突出することが考えられる。
そこで、ねじキャップ２１の角部３５を周縁１３Ａ側とは反対側（すなわち、カバー１３の内側）に向けることにより、角部３５をカバー１３から上方に突出しないようにした。
【００２７】
このように、ねじキャップ２１を涙滴形状とすることによりねじキャップ２１に比較的大きな角部３５を形成できる。
この角部３５を、凹部３２の一対の角周壁部３２Ｃ間に角部３５を収容することにより、ねじキャップ２１が廻ることを一対の角周壁部３２Ｃで阻止できる。
このように、ねじキャップ２１が廻ることを凹部３２の角周壁部３２Ｃで阻止することにより、ねじキャップ２１と共にねじ部材１５が廻って緩むことを防止できる。
【００２８】
次に、第２実施形態の携帯端末４０を図６〜図８に基づいて説明する。
なお、第２実施形態の携帯端末４０において第１実施形態の携帯端末１０と同一類似部材については同じ符号を付して説明を省略する。
【００２９】
（第２実施形態）
図６、図７に示すように、第２実施形態の携帯端末４０は、筐体４１にねじ部材１５（図８参照）でスライドレール４５のレール４６が共締めされ、スライドレール４５を介して筐体４１が他の筐体４２に連結されている。
【００３０】
筐体４１のケース４８にカバーがねじ部材１５で取り付けられるとともに、スライドレール４５のレール４６がねじ部材１５（図８参照）でケース４８に共締めされている。
また、他の筐体４２にスライドレール４５のスライダが設けられている。
よって、筐体４１および他の筐体４２が、スライドレール４５を介して携帯状態と使用状態との間で矢印方向に伸縮可能に連結されている。
【００３１】
このように、ねじ部材１５でスライドレール４５のレール４６を共締めすることにより、スライドレール４５のレール４６を共締めするねじ部材１５の繰り返しの伸縮による緩みをねじキャップ２１で防止できる。
これにより、スライドレール４５の機能を良好に保つことが可能になり、筐体４１および他の筐体４２を円滑に繰り返し伸長でき、携帯端末４０の使い勝手を高めることができる。
【００３２】
ところで、図１に示す第１実施形態の携帯端末１０では、カバー１３が周縁１３Ａの近傍部位１３Ｂにおいて凹部３２から周縁１３Ａに向けて比較的大きな湾曲状で下り勾配に形成されている。
このため、ねじキャップ２１の角部３５を周縁１３Ａ側に向けて設けた場合、角部３５がカバー１３から上方に突出する虞がある。
【００３３】
そこで、ねじキャップ２１の角部３５を周縁１３Ａ側とは反対側（すなわち、カバー１３の内側）に向けることにより、角部３５をカバー１３から上方に突出しないようにしている。
しかし、ねじキャップ２１の角部３５をカバー１３の内側に向けた場合、角部３５をカバー１３の内側に比較的大きく張り出されるためカバー１３の内側の空間３９を有効に活用し難くなる。
【００３４】
これに対して、図６、図８に示す第２実施形態の携帯端末４０では、筐体４１のケース４８の表面４８Ａは、他の筐体４２に重ね合わされる面である。よって、ケース４８の表面４８Ａと他の筐体４２との隙間を小さくすることが好ましい。
このため、ケース４８の表面４８Ａは全域が略平坦（すなわち、平面形状）に形成されている。よって、ケース４８の周縁（直線部）４８Ｂの近傍部位４８Ｃも平面形状に形成されている。
【００３５】
これにより、ねじキャップ２１（角部３５）の一対の直線部３５Ａのうち一方をケース４８の周縁４８Ｂの近傍において、周縁４８Ｂに対して平行に配置しても、周縁４８Ｂの近傍部位４８Ｃから角部３５が上方に突出する虞がない。
従って、ねじキャップ２１（角部３５）の一方の直線部３５Ａをケース４８の周縁４８Ｂの近傍において、周縁４８Ｂに対して平行に配置できる。
【００３６】
すなわち、図１に示す第１実施形態のように、ねじキャップ２１の角部３５をケース４８の内側に向けて突出する必要がない。
これにより、ねじキャップ２１の角部３５によるケース４８の内側への影響を少なくできる。
従って、ケース４８の内側の空間４９にスライドレール４５のレール４６を設けることができ、ケース４８の内側の空間４９を有効に活用できる。
【００３７】
なお、本発明に係る携帯端末は、前述した実施形態に限定されるものではなく適宜変更、改良等が可能である。
例えば、第２実施形態では、ねじ部材１５でスライドレール４５のレール４６を共締めする例について説明したが、これに限らないで、ねじ部材１５でスライドレール４５のスライダを共締めすることも可能である。
【００３８】
また、第２実施形態では、ねじキャップ２１（角部３５）の一対の直線部３５Ａのうち一方をケース４８の周縁４８Ｂに対して平行に配置した例について説明したが、これに限定するものではない。
例えば、一対の直線部３５Ａのうち他方を周縁４８Ｂに対して平行に配置することも可能であり、また、一対の直線部３５Ａの両方をケース４８の周縁４８Ｂに対して平行に配置することも可能である。
【００３９】
さらに、第１実施形態および第２実施形態では、ねじ部材１５の頭部１７を平面視円形に形成した例について説明したが、これに限らないで、ねじ部材１５の頭部１７を平面視六角形等の他の形状に形成することも可能である。
【００４０】
また、第１実施形態および第２実施形態で使用した携帯端末、筐体、ねじ部材、ねじキャップ、角部、他の筐体、スライドレールおよびレール等の形状や構成は例示したものに限定するものではなく適宜変更が可能である。
【産業上の利用可能性】
【００４１】
本発明は、筐体にねじ部材の軸部が挿通可能な凹部を備え、この凹部にねじ部材の頭部が収容され、この頭部の表面がねじキャップで覆われた携帯端末への適用に好適である。
【符号の説明】
【００４２】
１０，４０  携帯端末
１１，４１  筐体
１５  ねじ部材
１６  軸部
１７  頭部
１７Ｂ  頭部の表面
２１  ねじキャップ
３２  凹部
３４  円弧部
３５  角部
３５Ａ  一対の直線部
４２  他の筐体
４５  スライドレール
４６  レール
４８Ｂ  ケースの周縁（筐体の直線部）
【図１】
2013105782.tif 000003
【図２】
2013105782.tif 000004
【図３】
2013105782.tif 000005
【図４】
2013105782.tif 000006
【図５】
2013105782.tif 000007
【図６】
2013105782.tif 000008
【図７】
2013105782.tif 000009
【図８】
2013105782.tif 000010